(57)【要約】      （修正有）【課題】  ベルトの横剛性を最適化することにより、安定した走行状況を確保すると共に、耐久性を向上させた空気浮上式コンベヤベルトを提供する。【解決手段】  縦糸と横糸とからなる複数枚の織布を補強芯体２として、この補強芯体２の上下にカバ−ゴム層３、４を積層させた帯状構造体からなり、コンベヤラインを構成するトラフ上を浮上させた状態で走行する空気浮上式コンベヤベルト１において、補強芯体２を構成する織布のうち、少なくとも１枚を低横剛性織布２ｂとし、この低横剛性織布２ｂの１枚あたりの幅方向の引張強度を０．５〜５Ｎ／ｍｍ・ｐｌｙにした。【選択図】  図２
2006282299.tif 000002
【特許請求の範囲】
【請求項１】
縦糸と横糸とからなる複数枚の織布を補強芯体として、該補強芯体の上下にカバ−ゴム層を積層させた帯状構造体からなり、コンベヤラインを構成するトラフ上を浮上させた状態で走行する空気浮上式コンベヤベルトにおいて、
前記補強芯体を構成する織布のうち、少なくとも１枚を低横剛性織布とし、該低横剛性織布の１枚あたりの幅方向の引張強度を０．５〜５Ｎ／ｍｍ・ｐｌｙにした空気浮上式コンベヤベルト。
【請求項２】
前記低横剛性織布を前記帯状構造体の厚さ方向の中央線より下側に配置し、該帯状構造体をリタ−ン側にベルト反転装置を備えた前記コンベヤラインに使用する請求項１に記載の空気浮上式コンベヤベルト。
【請求項３】
前記低横剛性織布を前記帯状構造体の厚さ方向の中央線より上側及び下側に配置し、該帯状構造体をリタ−ン側にベルト反転装置を備えていない前記コンベヤラインに使用する請求項１に記載の空気浮上式コンベヤベルト。
【発明の詳細な説明】
【技術分野】
【０００１】
この発明は空気浮上式コンベヤベルトに関し、さらに詳しくは、ベルトの横剛性を最適化することにより、安定した走行状況を確保すると共に、耐久性を向上させた空気浮上式コンベヤベルトに関する。
【背景技術】
【０００２】
従来、図３に例示するように、トラフＴに形成した吹き出し口Ｐから圧縮空気を吹き上げて、トラフＴ上のベルトＢとトラフＴとの間に空気層を形成し、ベルトＢを浮上させた状態でベルトＢにより搬送物Ｑを搬送するようにした空気浮上式コンベヤベルトが知られている（例えば、特許文献１参照）。
【０００３】
この種のコンベヤベルトでは、ベルトの横剛性を如何に最適化するかが重要な課題となっている。すなわち、ベルトの強力を高めるために、ベルトに埋設する補強層の強度を高めるようにすると、ベルトの横剛性も高くなるので、無負荷状態での運転時には、図４に例示するように、ベルトＢ全体が浮上し、所謂トンネル現象と称する異常浮上が生じてしまう。
【０００４】
これにより、ベルトの両端部がトラフ面に圧接してベルトとトラフとの間に空気層が抱き込まれた状態になり、ベルトの両端部とトラフ面との接触が断続的に発生し、ベルト端部の摩耗や損傷に伴いベルトの耐久性が低下するという問題がある。さらに、ベルトの両端部とトラフ面との断続的接触により、安定した走行状況を保持することが難しくなると共に、コンベヤベルトのカバーゴムが摩擦により発熱してトラフ面にゴム質が付着する。このようにトラフ面にゴム質が付着すると、トラフ面とカバーゴムとの間に粘着が発生し、この粘着によりコンベヤの駆動力が増し、消費電力が増大してしまうという問題がある。この現象は、無負荷時のキャリア（搬送）側とリタ−ン側のベルトとの双方に多く見られ、ベルト端部とトラフ面との摩擦によるベルト端部の摩耗や損傷の発生と共に大きな障害となっていた。
【０００５】
この対策として、ベルトに埋設する補強層を簾コ−ドとし、横糸を縦糸に比して細く形成したり（例えば、特許文献２参照）、ベルトの上面側に幅方向に延びる低伸長材を配置し、下面側に幅方向に延びる高伸長材を配置するようにした（例えば、特許文献３参照）提案がある。しかしながら、これらの提案では、ある程度の改善は認められるものの、未だ充分な効果が得られず、いずれも充分な対策とはなり得なかった。
【特許文献１】特開２００１−２９４３１２号公報
【特許文献２】特開２０００−３４４３２０号公報
【特許文献３】特開平１１−３３４８３０号公報
【発明の開示】
【発明が解決しようとする課題】
【０００６】
この発明の目的は、上述するような従来の問題点を解消するもので、ベルトの横剛性を最適化することにより、安定した走行状況を確保すると共に、耐久性を向上させた空気浮上式コンベヤベルトを提供することにある。
【課題を解決するための手段】
【０００７】
上記目的を達成するためのこの発明の空気浮上式コンベヤベルトは、縦糸と横糸とからなる複数枚の織布を補強芯体として、該補強芯体の上下にカバ−ゴム層を積層させた帯状構造体からなり、コンベヤラインを構成するトラフ上を浮上させた状態で走行する空気浮上式コンベヤベルトにおいて、前記補強芯体を構成する織布のうち、少なくとも１枚を低横剛性織布とし、該低横剛性織布の１枚あたりの幅方向の引張強度を０．５〜５Ｎ／ｍｍ・ｐｌｙにしたことを要旨とする。
【発明の効果】
【０００８】
この発明によれば、補強芯体を構成する織布のうち、少なくとも１枚を低横剛性織布とし、この低横剛性織布の１枚あたりの幅方向の引張強度を０．５〜５Ｎ／ｍｍ・ｐｌｙにしたので、無負荷状態での運転時であっても、ベルトの異常浮上を防いで、ベルトの両端部がトラフ面に圧接することがなく、安定した走行状況を確保すると共に、ベルトの耐久性を向上させることができる。
【発明を実施するための最良の形態】
【０００９】
以下、この発明の構成につき添付の図面を参照しながら詳細に説明する。
【００１０】
図１（ａ）〜（ｄ）はこの発明の実施形態による空気浮上式コンベヤベルトを示す断面図で、図２（ａ）〜（ｄ）はこの発明の他の実施形態による空気浮上式コンベヤベルトを示す断面図である。
【００１１】
この発明の空気浮上式コンベヤベルト１は、縦糸と横糸とからなる複数枚の織布を補強芯体２として、この補強芯体２の上面に上カバ−ゴム層３を、下面に下カバ−ゴム層４をそれぞれ積層させた帯状構造体から構成されている。そして、この空気浮上式コンベヤベルト１は、図３に例示するように、コンベヤラインを構成するトラフＴ上を浮上させた状態で走行するようになっている。
【００１２】
そして、補強芯体２を構成する織布のうち、少なくとも１枚を低横剛性織布２ｂとし、この低横剛性織布２ｂの１枚あたりの幅方向の引張強度を０．５〜５Ｎ／ｍｍ・ｐｌｙに設定している。
【００１３】
なお、図中２ａは、従来使用されてきた平織の織布（以下、従来剛性織布２ａという）により構成している。従来剛性織布２ａの１枚あたりの幅方向の引張強度は、通例５０〜１００Ｎ／ｍｍ・ｐｌｙに設定されている。
【００１４】
これにより、無負荷状態での運転時であっても、空気浮上式コンベヤベルト１の異常浮上を防いで、空気浮上式コンベヤベルト１の両端部がトラフ面に圧接することがなく、安定した走行状況を確保すると共に、空気浮上式コンベヤベルト１の耐久性を向上させることができる。
【００１５】
この発明において、低横剛性織布２ｂは、縦糸と横糸との材質、太さ、間隔及び／又は織構造などを適宜組合わせて構成し、この低横剛性織布２ｂの１枚あたりの幅方向の引張強度を０．５〜５Ｎ／ｍｍ・ｐｌｙに調整するようにする。
【００１６】
この発明の実施形態による図１（ａ）〜（ｄ）に示す空気浮上式コンベヤベルト１では、上カバ−ゴム層３の厚さを下カバ−ゴム層４の厚さに比して大きく形成している。そして、それぞれの空気浮上式コンベヤベルト１は、補強芯体２を構成する織布の形態及びその枚数を異にして、幅方向の剛性が長手方向の剛性に対して小さくなるように構成している。
【００１７】
すなわち、図１（ａ）の空気浮上式コンベヤベルト１では、補強芯体２を構成する織布を５枚とし、これら５枚の織布のうち、上面側の３枚の織布を従来剛性織布２ａにより構成し、下面側の２枚の織布を低横剛性織布２ｂにより構成している。
【００１８】
また、図１（ｂ）の空気浮上式コンベヤベルト１では、補強芯体２を構成する織布を４枚とし、これら４枚の織布のうち、上面側の２枚の織布を従来剛性織布２ａにより構成し、下面側の２枚の織布を低横剛性織布２ｂにより構成している。
【００１９】
さらに、図１（ｃ）の空気浮上式コンベヤベルト１では、補強芯体２を構成する織布を３枚とし、これら３枚の織布のうち、上面側の２枚の織布を従来剛性織布２ａにより構成し、下面側の１枚の織布を低横剛性織布２ｂにより構成している。
【００２０】
さらに、図１（ｄ）の空気浮上式コンベヤベルト１では、補強芯体２を構成する織布を２枚とし、これら２枚の織布のうち、上面側の織布を従来剛性織布２ａにより構成し、下面側の織布を低横剛性織布２ｂにより構成している。
【００２１】
また、この発明の他の実施形態による図２（ａ）〜（ｄ）に示す空気浮上式コンベヤベルト１では、上面のカバ−ゴム層３の厚さと下面のカバ−ゴム層４の厚さを同等に形成している。そして、それぞれの空気浮上式コンベヤベルト１は、図１（ａ）〜（ｄ）に例示する空気浮上式コンベヤベルト１と同様に、幅方向の剛性が長手方向の剛性に対して小さくなるように、補強芯体２を構成する織布の形態及び織布の枚数を異にしている。
【００２２】
すなわち、図２（ａ）の空気浮上式コンベヤベルト１では、補強芯体２を構成する織布を５枚とし、これら５枚の織布のうち、上面側と下面側の織布を低横剛性織布２ｂとし、中央側の３枚の織布を従来剛性織布２ａにより構成している。
【００２３】
また、図２（ｂ）の空気浮上式コンベヤベルト１では、補強芯体２を構成する織布を４枚とし、これら４枚の織布のうち、上面側と下面側の織布２ｂを低横剛性織布とし、中央側の２枚の織布２ａを従来剛性織布により構成している。
【００２４】
さらに、図２（ｃ）の空気浮上式コンベヤベルト１では、補強芯体２を構成する織布を３枚とし、これら３枚の織布のうち、上面側と下面側の織布を低横剛性織布２ｂとし、中央の織布を従来剛性織布２ａにより構成している。
【００２５】
さらに、図２（ｄ）の空気浮上式コンベヤベルト１では、補強芯体２を構成する織布を２枚とし、これら２枚の織布のうち、上面側の織布を従来剛性織布２ａにより構成し、下面側の織布を低横剛性織布２ｂにより構成している。
【００２６】
上述する実施形態では、補強芯体２を構成する複数の織布を従来剛性織布２ａと低横剛性織布２ｂとで構成し、その配置形態を図１（ａ）〜（ｄ）及び図２（ａ）〜（ｄ）に基づいて説明してきたが、従来剛性織布２ａと低横剛性織布２ｂとの厚さ方向の配置及びこれらの枚数はこれに限定されるものではなく、種々の枚数及びそれらの組合せによる配置形態が許容される。
【００２７】
この発明において、図１（ａ）〜（ｄ）に示す空気浮上式コンベヤベルト１は、リタ−ン側にベルト反転装置を備えたコンベヤラインに使用し、図２（ａ）〜（ｄ）に示す空気浮上式コンベヤベルト１は、リタ−ン側にベルト反転装置を備えていないコンベヤラインに使用するようにするとよい。
【００２８】
すなわち、リタ−ン側にベルト反転装置を備えたコンベヤラインでは、リタ−ン側で空気浮上式コンベヤベルト１の湾曲形態が搬送側と同じ形態を保持するため、低横剛性織布を帯状構造体の厚さ方向の中央線より下側に配置した図１（ａ）〜（ｄ）に示す空気浮上式コンベヤベルト１を使用するとよい。
【００２９】
これに対して、リタ−ン側にベルト反転装置を備えていないコンベヤラインでは、リタ−ン側で空気浮上式コンベヤベルト１の湾曲形態が搬送側とは逆転した形態となるため、低横剛性織布を帯状構造体の厚さ方向の中央線より上側及び下側に配置した図２（ａ）〜（ｄ）に示す空気浮上式コンベヤベルト１を使用するとよい。
【００３０】
上述するように、この発明の空気浮上式コンベヤベルトは、補強芯体を構成する織布のうち、少なくとも１枚を低横剛性織布とし、この低横剛性織布の１枚あたりの幅方向の引張強度を０．５〜５Ｎ／ｍｍ・ｐｌｙに設定することにより、安定した走行状況を確保すると共に、ベルトの耐久性を向上させるようにしたもので、特に高い強度を有する空気浮上式コンベヤベルトに好ましく適用される。
【図面の簡単な説明】
【００３１】
【図１】（ａ）〜（ｄ）はこの発明の実施形態による空気浮上式コンベヤベルトを示す断面図である。
【図２】（ａ）〜（ｄ）はこの発明の他の実施形態による空気浮上式コンベヤベルトを示す断面図である。
【図３】空気浮上式コンベヤベルトの使用形態の要部を示す説明図である。
【図４】従来の空気浮上式コンベヤベルトにおける異常浮上の状態を示す説明図である。
【符号の説明】
【００３２】
１  空気浮上式コンベヤベルト
２  補強芯体
２ａ  従来剛性織布
２ｂ  低横剛性織布
３  上カバ−ゴム層
４  下カバ−ゴム層
【図１】
2006282299.tif 000003
【図２】
2006282299.tif 000004
【図３】
2006282299.tif 000005
【図４】
2006282299.tif 000006